(57)【要約】【課題】家具を一時的に使用した後に部屋内で邪魔にならずに収容することが可能な家具システムを提供する。【解決手段】家具システム１は、部屋の壁面に固定される壁面什器１０と、壁面什器１０に収容された家具２０とを備えている。壁面什器１０は、家具２０を収容するための収容空間１１を有している。【選択図】図１
2019187575.tif 000002
【特許請求の範囲】
【請求項１】
壁面什器と、
前記壁面什器内に収容可能な少なくとも１つの家具と
を備える家具システムであって、
前記家具は、
互いに連結されてヒンジ状に折り畳み可能な第１部分及び第２部分と、
前記家具の底部に設けられる移動促進部材であって、前記家具が載置される載置面に対して前記家具を移動可能にするための移動促進部材と
を備え、
前記家具は、前記第１部分と前記第２部分とが折り畳まれたときに六面体形状を有する家具システム。
【請求項２】
前記第１部分と前記第２部分とが折り畳まれた状態で、前記家具の側面にハンドルが設けられている、請求項１に記載の家具システム。
【請求項３】
前記第１部分と前記第２部分とが開いた状態で前記第１部分及び前記第２部分のそれぞれは奥行きを有し、前記第１部分及び前記第２部分のそれぞれの内部に空間が形成されている、請求項１または２に記載の家具システム。
【請求項４】
前記第１部分と前記第２部分とが開いた状態で前記第１部分は奥行きを有し、前記第１部分の内部に空間が形成され、前記第２部分は板状である、請求項１または２に記載の家具システム。
【請求項５】
前記第２部分には折り畳み可能な附属家具が取り付けられ、前記第１部分と前記第２部分とが折り畳まれた状態で、折り畳まれた状態の前記附属家具が前記第１部分の前記空間内に収容される、請求項４に記載の家具システム。
【発明の詳細な説明】
【技術分野】
【０００１】
本開示は、家具システムに関する。
【背景技術】
【０００２】
家庭内で一時の安らぎや趣味の時間を楽しむために、室内をそのような楽しみにふさわしい環境に適合させることができれば、楽しみをさらに豊かなものにすることができる。家庭内では通常、部屋内の家具のレイアウトが固定されているため、楽しみを満喫するためには、専用の部屋を設ける必要があるが、通常は部屋数が限られているため、専用の部屋を設けることが難しい場合が多い。そこで、部屋内の家具のレイアウトを自由に変更でき、楽しみが終わった後に、使用した家具を部屋内で邪魔にならずに収納することができれば、専用の部屋がなくても、楽しみにふさわしい環境の実現を可能にすることができる。
【０００３】
家具は通常、部屋内において壁面に寄せて配置されるので、家具が収納可能な空間を壁面に形成し、その空間内に家具を収納した場合に、家具と壁面とが面一となれば、家具を部屋内で邪魔にならずに収納することができ、家具を使用しないときの部屋の有効利用が可能になる。特許文献１には、部屋の壁面に嵌め込まれる家具が記載されている。
【先行技術文献】
【特許文献】
【０００４】
【特許文献１】特開２００１−５７９１１号公報
【発明の概要】
【発明が解決しようとする課題】
【０００５】
しかしながら、特許文献１の家具は、効率的に部屋の壁面に嵌め込むことを可能にした家具であるため、一時的に使用した後に部屋内で邪魔にならずに収納できる家具ではない。
【０００６】
上述の事情に鑑みて、本開示の少なくとも１つの実施形態は、家具を一時的に使用した後に部屋内で邪魔にならずに収容することが可能な家具システムを提供することを目的とする。
【課題を解決するための手段】
【０００７】
本発明の少なくとも１つの実施形態に係る家具システムは、壁面什器と、壁面什器内に収容可能な少なくとも１つの家具とを備える家具システムであって、家具は、互いに連結されてヒンジ状に折り畳み可能な第１部分及び第２部分と、家具の底部に設けられる移動促進部材であって、家具が載置される載置面に対して家具を移動可能にするための移動促進部材とを備え、家具は、第１部分と第２部分とが折り畳まれたときに六面体形状を有する。
【０００８】
第１部分と第２部分とが折り畳まれた状態で、家具の側面にハンドルが設けられていてもよい。
第１部分と第２部分とが開いた状態で第１部分及び第２部分のそれぞれは奥行きを有し、第１部分及び第２部分のそれぞれの内部に空間が形成されていてもよい。
第１部分と第２部分とが開いた状態で第１部分は奥行きを有し、第１部分の内部に空間が形成され、第２部分は板状であってもよい。この場合、第２部分には折り畳み可能な附属家具が取り付けられ、第１部分と第２部分とが折り畳まれた状態で、折り畳まれた状態の附属家具が第１部分の空間内に収容されてもよい。
【発明の効果】
【０００９】
本開示の少なくとも１つの実施形態によれば、互いに連結された第１部分及び第２部分をヒンジ状に折り畳み可能にして、第１部分と第２部分とが折り畳まれた状態で家具が六面体形状となることにより、家具を壁面什器内に収容しやすくなり、家具の底部に移動促進部材を設けることで家具が移動しやすくなるので、家具を一時的に使用した後に部屋内で邪魔にならずに収容することができる。
【図面の簡単な説明】
【００１０】
【図１】本開示の実施形態１に係る家具システムの斜視図である。
【図２】本開示の実施形態１に係る家具システムの家具の正面図である。
【図３】本開示の実施形態１に係る家具システムの家具を開いた状態の斜視図である。
【図４】本開示の実施形態１に係る家具システムの家具を開いた状態の平面図である。
【図５】本開示の実施形態２に係る家具システムの正面図である。
【図６】本開示の実施形態２に係る家具システムの家具の正面図である。
【図７】本開示の実施形態２に係る家具システムの家具を開いた状態の斜視図である。
【図８】本開示の実施形態２に係る家具システムの家具を開いた状態の正面図である。
【発明を実施するための形態】
【００１１】
以下、図面を参照して本発明のいくつかの実施形態について説明する。ただし、本発明の範囲は以下の実施形態に限定されるものではない。以下の実施形態に記載されている構成部品の寸法、材質、形状、その相対配置などは、本発明の範囲をそれにのみ限定する趣旨ではなく、単なる説明例に過ぎない。
【００１２】
（実施形態１）
図１に示されるように、本開示の実施形態１に係る家具システム１は、部屋の壁面に固定される壁面什器１０と、壁面什器１０に収容された家具２０とを備えている。壁面什器１０は、家具２０を収容するための収容空間１１を有している。壁面什器１０はさらに、扉１２で開閉可能であって、ハンガー１３に掛けられた衣服を収納するための衣服収容部１４と、扉１５で開閉可能であって、少なくとも１つの引き出し１６が設けられた小物収容部１７と、正面に開口した空間１８とを備えているが、これらを有することは必須ではなく、これらのうちの少なくとも１つ又はさらに他の任意の収容部を有することができる。
【００１３】
図２に示されるように、家具２０は、互いに連結されてヒンジ状に折り畳み可能な直方体形状の第１部分２１及び直方体形状の第２部分２２と、第１部分２１の底部及び第２部分２２の底部のそれぞれに設けられた移動促進部材であるキャスター２３とを備えている。キャスター２３により、家具２０が載置される載置面すなわちフローリングに対して家具２０を移動しやすくすることができる。
【００１４】
図２では、家具２０は、第１部分２１と第２部分２２とが折り畳まれた状態であるが、この状態で家具２０は六面体形状すなわち直方体形状を有している。このため、壁面什器１０の収容空間１１（図１参照）に家具２０を収容可能な直方体形状の空間を形成すれば家具２０を収容できるので、家具２０を収容空間１１内に収容しやすくすることができる。また、収容空間１１の奥行きを調節することにより、家具２０と壁面什器１０とを面一にすることができる。折り畳まれた状態において家具２０の４つの側面の１つである正面２０ａには、家具２０を移動するとき等にユーザーが掴むためのハンドル２４を設けてもよい。ハンドル２４により、家具２０を壁面什器１０から取り出しやすくできる。また、正面２０ａには、第１部分２１と第２部分２２とが折り畳まれた状態で固定するための引掛錠２５及びロータリー錠２６を設けてもよい。
【００１５】
図３には、第１部分２１と第２部分２２とを最大限に開いた状態、すなわち、第１部分２１及び第２部分２２の一方を他方に対して１８０°回転させた状態の家具２０が示されている。この状態で家具２０の正面２０ａは、第１部分２１の側面２１ａと第２部分２２の側面２２ａとに分割されている。また、この状態で第１部分２１及び第２部分２２はそれぞれ奥行きを有し、第１部分２１及び第２部分２２のそれぞれの内部に空間が形成されている。例えば第１部分２１の内部の空間に、引き出し３１や棚３２等を設けることができる。また、例えば第２部分２２の内部の空間に、スライド可能なテーブル３３や棚３４を設けることができる。尚、第１部分２１及び第２部分２２それぞれの内部の空間には、家具２０の用途に応じて、任意のデバイスを設けることができる。
【００１６】
図４に示されるように、家具２０は、第２部分２２を第１部分２１に対して１８０°未満の任意の角度で開くことができる。また、テーブル３３を引き出して、テーブル３３上に物を置いたり、テーブル３３上で作業をしたりすることができる。これにより、家具２０を使用する部屋の大きさや家具２０の使用目的等に応じて様々な形態で家具２０を使用することができる。家具２０の使用の終了後は、第１部分２１と第２部分２２とを折り畳んで、家具２０を図２に示される状態にし、図１に示されるように壁面什器１０の収容空間１１に家具２０が収容される。
【００１７】
このように、互いに連結された第１部分２１及び第２部分２２をヒンジ状に折り畳み可能にして、第１部分２１と第２部分２２とが折り畳まれた状態で家具２０が六面体形状となることにより、家具２０を壁面什器１０内に収容しやすくなり、第１部分２１及び第２部分２２の底部のそれぞれにキャスター２３を設けることで家具２０が移動しやすくなるので、家具２０を一時的に使用した後に部屋内で邪魔にならずに収容することができる。
【００１８】
（実施形態２）
次に、実施形態２に係る家具システムについて説明する。実施形態２に係る家具システムは、実施形態１に対して、壁面什器１０及び家具２０それぞれの構成を変更したものである。尚、実施形態２において、実施形態１の構成要件と同じものは同じ参照符号を付し、その詳細な説明は省略する。
【００１９】
図５に示されるように、本開示の実施形態２に係る家具システム１は、部屋の壁面に固定される壁面什器１０と、壁面什器１０に収容された家具２０とを備えている。壁面什器１０は、家具２０を収容するための収容空間１１を有している。壁面什器１０はさらに、テレビ４０を収容するテレビ収容部４１と、収容空間１１の上方に設けられ扉４２で開閉可能な収容部４３と、テレビ収容部４１の下方に設けられ扉４４で開閉可能な収容部４５と、テレビ収容部４１の下方に設けられた引き出し４６と、テレビ収容部４１の上方に設けられ正面に開口した空間４７とを備えているが、これらを有することは必須ではなく、これらのうちの少なくとも１つ又はさらに他の任意の収容部を有することができる。
【００２０】
図６に示されるように、家具２０は、互いに連結されてヒンジ状に折り畳み可能な直方体形状の第１部分２１及び板状の第２部分２２と、第１部分２１の底部に設けられた移動促進部材であるキャスター２３とを備えている。第２部分２２は、第１部分２１の内部の後述する空間を開閉する扉５０の形態を有している。第１部分２１の３つの側面の１つである正面２０ａには、家具２０を移動するとき等にユーザーが掴むためのハンドル２４を設けてもよい。また、正面２０ａには、第１部分２１の内部の空間を扉５０が閉じた状態で固定するための引掛錠２５及びロータリー錠２６を設けてもよい。
【００２１】
図７には、扉５０を開いて家具２０内の空間を開放した状態が示されている。第１部分２１は奥行きを有し、第１部分２１の内部に空間が形成されている。例えば第１部分２１の内部の空間に、引き出し３１や棚３２等を設けることができる。尚、第１部分２１の内部の空間には、家具２０の用途に応じて、任意のデバイスを設けることができる。
【００２２】
扉５０の内側の表面に、折り畳み可能な附属家具である机６０を取り付けてもよい。扉５０を開いた後に机６０を広げて、机６０上に物を置いたり、机６０上で作業をしたりすることができる。これにより、家具２０を使用する部屋の大きさや家具２０の使用目的等に応じて様々な形態で家具２０を使用することができる。家具２０の使用の終了後は、図８に示されるように机６０を折り畳み、扉５０を閉めて、家具２０を図６に示される状態にし、図５に示されるように壁面什器１０の収容空間１１に家具２０が収容される。
【００２３】
このように、実施形態２も実施形態１と同様に、互いに連結された第１部分２１及び第２部分２２（扉５０）をヒンジ状に折り畳み可能にして、第１部分２１と第２部分２２とが折り畳まれた状態で家具２０が六面体形状となることにより、家具２０を壁面什器１０内に収容しやすくなり、第１部分２１の底部にキャスター２３を設けることで家具２０が移動しやすくなるので、家具２０を一時的に使用した後に部屋内で邪魔にならずに収容することができる。
【００２４】
実施形態２では、附属家具を机６０として説明したが、机６０に限定するものではない。折り畳み可能なデバイス、例えば折り畳み可能なベンチ等であってもよい。また、扉５０の内側の表面に、収納ポケットを設けたり、フックや鏡等を取り付けたりすることもできる。
【００２５】
実施形態１及び２では、移動促進部材はキャスター２３であったが、キャスター２３に限定するものではない。家具２０をフローリング上で移動しやすくするものであればどのようなものであってもよく、例えば、ニチアス株式会社から市販されている商品名カグスベールのようなものを使用することができる。
【００２６】
実施形態１及び２では、家具システム１は１つの家具２０を備えていたが、１つに限定するものではない。壁面什器１０に２つ以上の収容空間１１を形成し、２つ以上の家具２０を各収容空間１１に収容するようにしてもよい。
【符号の説明】
【００２７】
１  家具システム
１０  壁面什器
２０  家具
２０ａ  （家具の）正面（家具の側面）
２１  第１部分
２２  第２部分
２３  キャスター（移動促進部材）
２４  ハンドル
５０  扉（第２部分）
６０  机（附属家具）
【図１】
2019187575.tif 000003
【図２】
2019187575.tif 000004
【図３】
2019187575.tif 000005
【図４】
2019187575.tif 000006
【図５】
2019187575.tif 000007
【図６】
2019187575.tif 000008
【図７】
2019187575.tif 000009
【図８】
2019187575.tif 000010